(57)【要約】【課題】文献の内容理解を助け、文献集合から求める知識を得ることを容易とすること。【解決手段】共著者別文献情報集合生成部２３０が関連する文献情報集合から共著者別文献情報集合を生成し、分析結果記録部２４０が利用者が共著者別文献情報集合を分析した結果を共著者のトピックとして分析結果ＤＢ２５０に記録し、分析結果統合部２６０が分析結果ＤＢ２５０に記録された各共著者のトピックを統合して分析結果統合画面として表示する。また、共著者別文献情報集合生成部２３０が生成した共著者別文献情報集合を用いて分析対象選択支援画面を表示する。【選択図】        図２
2005190124.tif 000002
【特許請求の範囲】
【請求項１】
関連する文献についての情報の集合である関連文献情報集合の情報を分析する文献分析プログラムであって、
前記関連文献情報集合から共著者別の文献情報の集合である共著者別文献情報集合を生成する共著者別文献情報集合生成手順と、
前記共著者別文献情報集合生成手順により生成された共著者別文献情報集合の情報を表示する共著者別文献情報表示手順と
をコンピュータに実行させることを特徴とする文献分析プログラム。
【請求項２】
前記共著者別文献情報集合生成手順により生成された共著者別文献情報集合の情報を分析して利用者が指定する共著者別分析結果を記憶装置に記録する分析結果記録手順と、
前記分析結果記録手順により記憶装置に記録された共著者別分析結果を統合して分析結果統合情報を生成する分析結果統合手順と、
前記分析結果統合手順により生成された分析結果統合情報を表示する統合情報表示手順と
をさらにコンピュータに実行させることを特徴とする請求項１に記載の文献分析プログラム。
【請求項３】
前記共著者別文献情報表示手順は、共著文献の数が多い著者の順に著者名と該著者の文献数とを表示することを特徴とする請求項１または２に記載の文献分析プログラム。
【請求項４】
前記分析結果記録手順により記憶装置に記録される共著者別分析結果は、前記共著者別文献情報集合に情報が含まれる文献のトピックであり、
前記分析結果統合手順は、利用者の指定する著者が含まれる共著グループに対して記録されたトピックごとに該著者の文献数および該著者の共著者の文献数を分析結果統合情報として生成することを特徴とする請求項２に記載の文献分析プログラム。
【請求項５】
前記分析結果記録手順により記憶装置に記録される共著者別分析結果は、前記共著者別文献情報集合に情報が含まれる文献のトピックであり、
前記分析結果統合手順は、利用者の指定するトピックが著者を含む共著グループに対して記録された著者の年代別著作文献数および該著者の共著者の年代別著作文献数を分析結果統合情報として生成することを特徴とする請求項２に記載の文献分析プログラム。
【請求項６】
関連する文献についての情報の集合である関連文献情報集合の情報を、端末装置からの利用者の文献分析要求に応答して分析する文献分析プログラムであって、
前記関連文献情報集合から共著者別の文献情報の集合である共著者別文献情報集合を生成する共著者別文献情報集合生成手順と、
共著者別文献情報を前記端末装置に表示する際に使用される共著者別文献情報表示データを前記共著者別文献情報集合生成手順により生成された共著者別文献情報集合の情報から生成する共著者別文献情報表示データ生成手順と、
前記共著者別文献情報表示データ生成手順により生成された共著者別文献情報表示データを前記端末装置に送信する共著者別文献情報送信手順と
をコンピュータに実行させることを特徴とする文献分析プログラム。
【請求項７】
前記共著者別文献情報集合生成手順により生成された共著者別文献情報集合の情報を分析して利用者が指定する共著者別分析結果を記憶装置に記録する分析結果記録手順と、
前記分析結果記録手順により記憶装置に記録された共著者別分析結果を統合して分析結果統合情報を生成する分析結果統合手順と、
分析結果統合情報を前記端末装置に表示する際に使用される分析結果統合情報表示データを前記分析結果統合手順により生成された分析結果統合情報から生成する統合情報表示データ生成手順と、
前記統合情報表示データ生成手順により生成された分析結果統合情報表示データを前記端末装置に送信する分析結果統合情報送信手順と
をさらにコンピュータに実行させることを特徴とする請求項６に記載の文献分析プログラム。
【請求項８】
関連する文献についての情報の集合である関連文献情報集合の情報を分析する文献分析プログラムを記録したコンピュータ読み取り可能な記録媒体であって、
前記関連文献情報集合から共著者別の文献情報の集合である共著者別文献情報集合を生成する共著者別文献情報集合生成手順と、
前記共著者別文献情報集合生成手順により生成された共著者別文献情報集合の情報を表示する共著者別文献情報表示手順と
をコンピュータに実行させる文献分析プログラムを記録したことを特徴とするコンピュータ読み取り可能な記録媒体。
【請求項９】
関連する文献についての情報の集合である関連文献情報集合の情報を分析する文献分析方法であって、
前記関連文献情報集合から共著者別の文献情報の集合である共著者別文献情報集合を生成する共著者別文献情報集合生成工程と、
前記共著者別文献情報集合生成工程により生成された共著者別文献情報集合の情報を表示する共著者別文献情報表示工程と
を含んだことを特徴とする文献分析方法。
【請求項１０】
関連する文献についての情報の集合である関連文献情報集合の情報を分析する文献分析装置であって、
前記関連文献情報集合から共著者別の文献情報の集合である共著者別文献情報集合を生成する共著者別文献情報集合生成手段と、
前記共著者別文献情報集合生成手段により生成された共著者別文献情報集合の情報を表示する共著者別文献情報表示手段と
を備えたことを特徴とする文献分析装置。
【発明の詳細な説明】
【技術分野】
【０００１】
この発明は、関連する文献についての情報の集合である関連文献情報集合の情報を分析する文献分析プログラムおよびその記録媒体、文献分析装置ならびに文献分析方法に関し、特に、共著者に基づいて文献集合を分割して分析することを支援するとともに、分析結果を記録し統合することを保証することで、文献の内容理解を助け、文献集合から求める知識を得ることを容易とする文献分析プログラムおよびその記録媒体、文献分析装置ならびに文献分析方法に関するものである。
【背景技術】
【０００２】
学術論文や技術資料から関連する文献集合を抽出する技術としては、キーワードによる文献検索があり、近年、キーワードによる文献検索システムが様々な分野で広く普及している。
【０００３】
例えば、米国NLM(National Library of Medicine)によりオンラインサービスが行なわれ、かつ最も著名な医学・生物学関係の文献抄録データベースであるMEDLINEは、NLMの一部門であるNCBI(National Center for Biotechnology Information; http://www.ncbi.nlm.nih.gov/)が提供するPubMed文献検索システムを利用して、キーワードによる文献検索が可能である（非特許文献１参照。）。
【０００４】
PubMed文献検索システムを用いて、遺伝子名や生命現象名をキーワードとして文献検索を行なうことで、キーワードに関連する生物学関連文献集合を得ることができるため、現在このPubMed文献検索システムは生物学関係の研究者の間で広く利用されている。
【０００５】
研究者は、関連文献集合を入手したら、文献内容から求める知識を得るために、関連文献集合の詳細な分析を行なう必要がある。学術論文や技術資料においては、文献集合を背景となる学問体系や技術体系に沿って分析すると、個々の文献に記載された内容の位置づけが明確になり、求める知識を得ることが容易となる。
【０００６】
学術論文や技術資料では、同じ著者あるいは著者のグループが、学問体系や技術体系において関連する一連の文献を著述する傾向がある。そのため、著者に基づいて文献集合を分割して分析することで、求める知識を効率よく獲得することが期待できる。
【０００７】
一般に、学術論文や技術資料のデータベースでは、文献の掲載雑誌や著者といったキーワードを用いてデータベースを検索できるよう整備されていることが多い。例えば、前述のMEDLINEデータベースには、文献抄録に加えて、タイトル、掲載雑誌、出版年月日、文献著者などの情報が付随しており、PubMed検索システムにより入手可能となっている。このような環境では、従来の文献検索を利用して、著者名をキーワードにして検索することで、容易に著者に基づいた文献部分集合に分割することができる。
【０００８】
また、特許文献１には、著者に特徴的な用語を自動的に抽出し、それに基づいて人物と用語のデータベースを構築する技術が開示されている。この技術により、文献著者をキーワードに検索できるよう整備されたデータベースが存在しない場合でも、分析目的にあった有力な研究者を発見し、その文献集合を得て分析を行なうことができる。
【０００９】
【特許文献１】特開２００３−１６７８９０号公報
【非特許文献１】「PubMed」、［平成１５年１２月１２日検索］、インターネット＜URL:http://www.ncbi.nlm.nih.gov/entrez/query.fcgi＞
【発明の開示】
【発明が解決しようとする課題】
【００１０】
しかしながら、学術論文や技術資料を著者に基づいて文献部分集合に分割したとしても、著述数の多い著者による文献の集合を一度に分析するのは困難であるという問題がある。例えば、前述のPubMed検索システムを用いて、著者名をキーワードに検索した場合でも、その著者の著述数が多い場合には１００件を超える文献集合となるため、そのまま内容を詳細に分析することは困難である。
【００１１】
その場合、その著者による文献集合を共著者または共著者のグループ毎にさらに細分して分析すれば、分析は容易になるが、細分した文献の部分集合の分析では、部分集合の相互の関係や全体における位置づけなどを把握しにくくなるという問題が生じる。
【００１２】
また、複雑に入り組んだ共著関係により、細分した部分集合が複雑に重なりあってしまうことが多いので、全てを逐一分析することは非効率である。したがって、著者に基づいて文献を分析する作業は、分析に適した文献部分集合を探す作業や、文献部分集合を具体的に分析する作業を、試行錯誤を繰り返しながら柔軟な順番で行えるようにする必要がある。
【００１３】
このような作業を円滑に進行可能とするためには、当面行なうべき一連の操作・検討に集中できるよう、細分された文献集合の分析結果を記録し、分析結果を後で統合できることを保証することが必要となる。従来の技術では、文献検索システムによって、特定の著者または著者グループの文献を検索して分析することは可能であるが、分析結果を保持し、かつ、部分的分析結果の統合を支援するような文献分析システムはなかったため、このような要求に答えることは困難であった。
【００１４】
この発明は、上述した従来技術による問題点を解消するためになされたものであり、共著者に基づいて文献集合を分割して分析することを支援するとともに、分析結果を記録し統合することを保証することで、文献の内容理解を助け、文献集合から求める知識を得ることを容易とする文献分析プログラムおよびその記録媒体、文献分析装置ならびに文献分析方法を提供することを目的とする。
【課題を解決するための手段】
【００１５】
上述した課題を解決し、目的を達成するため、本発明は、関連する文献についての情報の集合である関連文献情報集合の情報を分析する文献分析プログラムであって、前記関連文献情報集合から共著者別の文献情報の集合である共著者別文献情報集合を生成する共著者別文献情報集合生成手順と、前記共著者別文献情報集合生成手順により生成された共著者別文献情報集合の情報を表示する共著者別文献情報表示手順とをコンピュータに実行させることを特徴とする。
【００１６】
また、本発明は、関連する文献についての情報の集合である関連文献情報集合の情報を分析する文献分析プログラムを記録したコンピュータ読み取り可能な記録媒体であって、前記関連文献情報集合から共著者別の文献情報の集合である共著者別文献情報集合を生成する共著者別文献情報集合生成手順と、前記共著者別文献情報集合生成手順により生成された共著者別文献情報集合の情報を表示する共著者別文献情報表示手順とをコンピュータに実行させる文献分析プログラムを記録したことを特徴とする。
【００１７】
また、本発明は、関連する文献についての情報の集合である関連文献情報集合の情報を分析する文献分析方法であって、前記関連文献情報集合から共著者別の文献情報の集合である共著者別文献情報集合を生成する共著者別文献情報集合生成工程と、前記共著者別文献情報集合生成工程により生成された共著者別文献情報集合の情報を表示する共著者別文献情報表示工程とを含んだことを特徴とする。
【００１８】
また、本発明は、関連する文献についての情報の集合である関連文献情報集合の情報を分析する文献分析装置であって、前記関連文献情報集合から共著者別の文献情報の集合である共著者別文献情報集合を生成する共著者別文献情報集合生成手段と、前記共著者別文献情報集合生成手段により生成された共著者別文献情報集合の情報を表示する共著者別文献情報表示手段とを備えたことを特徴とする。
【００１９】
かかる発明によれば、関連文献情報集合から共著者別の文献情報の集合である共著者別文献情報集合を生成し、生成した共著者別文献情報集合の情報を表示するよう構成したので、利用者は、有力な著者およびその共著者を容易に特定することができる。
【００２０】
また、本発明は、上記発明において、前記共著者別文献情報集合生成手順により生成された共著者別文献情報集合の情報を分析して利用者が指定する共著者別分析結果を記憶装置に記録する分析結果記録手順と、前記分析結果記録手順により記憶装置に記録された共著者別分析結果を統合して分析結果統合情報を生成する分析結果統合手順と、前記分析結果統合手順により生成された分析結果統合情報を表示する統合情報表示手順とをさらにコンピュータに実行させることを特徴とする。
【００２１】
この発明によれば、生成した共著者別文献情報集合の情報を分析して利用者が指定する共著者別分析結果を記憶装置に記録し、記憶装置に記録した共著者別分析結果を統合して分析結果統合情報を生成し、生成した分析結果統合情報を表示するよう構成したので、利用者は、各共著者ごとに分析した結果をマクロ的な視点から捉えなおすことができる。
【００２２】
また、本発明は、関連する文献についての情報の集合である関連文献情報集合の情報を、端末装置からの利用者の文献分析要求に応答して分析する文献分析プログラムであって、前記関連文献情報集合から共著者別の文献情報の集合である共著者別文献情報集合を生成する共著者別文献情報集合生成手順と、共著者別文献情報を前記端末装置に表示する際に使用される共著者別文献情報表示データを前記共著者別文献情報集合生成手順により生成された共著者別文献情報集合の情報から生成する共著者別文献情報表示データ生成手順と、前記共著者別文献情報表示データ生成手順により生成された共著者別文献情報表示データを前記端末装置に送信する共著者別文献情報送信手順とをコンピュータに実行させることを特徴とする。
【００２３】
この発明によれば、関連文献情報集合から共著者別の文献情報の集合である共著者別文献情報集合を生成し、共著者別文献情報を端末装置に表示する際に使用される共著者別文献情報表示データを共著者別文献情報集合の情報から生成し、生成した共著者別文献情報表示データを端末装置に送信するよう構成したので、利用者は、有力な著者およびその共著者を容易に特定することができる。
【発明の効果】
【００２４】
本発明によれば、利用者は、有力な著者およびその共著者を容易に特定することができるので、優先的に分析する文献を容易に見付けることができるという効果を奏する。
【００２５】
また、本発明によれば、利用者は、各共著者（共著グループ）ごとに分析した結果をマクロ的な視点から捉えなおすことができるので、全体的な関連性を把握することができ、関連文献全体の内容を容易に理解することができるという効果を奏する。
【発明を実施するための最良の形態】
【００２６】
以下に添付図面を参照して、この発明に係る文献分析プログラムおよびその記録媒体、文献分析装置ならびに文献分析方法の好適な実施例を詳細に説明する。
【実施例】
【００２７】
まず、本実施例に係る文献分析装置による文献分析の原理について説明する。図１は、本実施例に係る文献分析装置による文献分析の原理を説明するための説明図である。同図に示すように、本実施例に係る文献分析装置は、関連する文献の集合から共著者別文献集合を生成する。
【００２８】
ここで、文献には、単独の著者による文献と複数の著者による共著文献があるため、共著者別文献集合としては、個々の著者による文献集合と複数の著者による文献集合がある。そこで、ここでは、共著者には著者が単独である場合を含むものとする。
【００２９】
図１では、２人の著者「著者１」および「著者２」に対して、「共著者１」の文献集合は「著者１」が単独著者である場合も含め共著者である文献の集合であり、「共著者２」の文献集合は「著者２」が単独著者である場合も含め共著者である文献の集合であり、「共著者３」の文献集合は「著者１」と「著者２」を著者として含む文献の集合である。したがって、例えば「著者１」と「著者２」の共著による文献は、「共著者１」、「共著者２」および「共著者３」の文献の集合のいずれにも重複して含まれる。
【００３０】
同様に、３人の著者「著者１」、「著者２」および「著者３」に対しては、著者別の文献集合として、「著者１」が単独著者である場合も含め共著者である文献の集合、「著者２」が単独著者である場合も含め共著者である文献の集合、「著者３」が単独著者である場合も含め共著者である文献の集合、「著者１」と「著者２」を著者に含む文献の集合、「著者２」と「著者３」を著者に含む文献の集合、「著者２」と「著者３」を著者に含む文献の集合、「著者１」と「著者２」と「著者３」を著者に含む文献の集合がある。
【００３１】
そして、本実施例に係る文献分析装置は、生成した各共著者別文献集合についての情報を利用者に提示し、利用者が提示された情報を分析して入力した結果を各共著者別文献集合に付加する。
【００３２】
例えば、利用者が「共著者１」の文献集合は「トピックＡ」についての文献の集合であると分析した場合には、「トピックＡ」を分析結果として「共著者１（著者１）」の文献集合に付加し、「共著者３」の文献集合は「トピックＢ」についての文献の集合であると分析した場合には、「トピックＢ」を分析結果として「共著者３（著者１＆著者２）」の文献集合に付加する。
【００３３】
そして、本実施例に係る文献分析装置は、各共著者別文献集合に付加された分析結果をデータベースに記録し、記録した分析結果を著者やトピックごとに統合して利用者に提示する。例えば、「共著者１」の文献集合を分析した結果である「トピックＡ」は、「著者１」や「著者１」の共著者とどのような関係にあるかを示す関係情報を利用者に提示する。
【００３４】
このように、本実施例に係る文献分析装置は、関連する文献の集合から一人以上の著者が共通するかを基準とする共著者別文献集合を生成し、生成した共著者別文献集合についての情報を利用者に提示する。その結果、共著者別文献集合についての情報を提示された利用者は、著者が共通する文献はトピックが共通する場合が多いので、あるトピックについて記載された文献を容易に見付けることができる。
【００３５】
そして、一般に一連の文献の分析は容易なので、分析作業が効率的になり、また、一連の文献で報告されている知見の多くは相互に関連していることが多いので、相互に関連する知見をまとめて抽出できるようになる。
【００３６】
また、本実施例に係る文献分析装置は、利用者による共著者別文献集合の分析結果から、利用者が指定した（一人以上の）著者に関連する分析結果を抽出し、整理して表示する。これにより、分析結果を一人以上の著者の属性として統合することを支援することができる。
【００３７】
その結果、利用者は、共著者別文献集合を分析した結果を、マクロな視点から捉えなおすことが可能となり、共著者別文献集合の分析では見出しにくいトピックの関連性などを発見できるようになる。
【００３８】
次に、本実施例に係る文献分析装置の構成について説明する。図２は、本実施例に係る文献分析装置の構成を示す機能ブロック図である。同図に示すように、この文献分析装置２００は、文献ＤＢ２１０と、文献検索部２２０と、共著者別文献情報集合生成部２３０と、分析結果記録部２４０と、分析結果ＤＢ２５０と、分析結果統合部２６０と、入出力部２７０と、制御部２８０とを有する。
【００３９】
文献ＤＢ２１０は、学術論文や技術資料などの文献を蓄積するデータベースである。利用者は、例えばキーワードを用いてこの文献ＤＢ２１０から関連する文献を検索することができる。
【００４０】
文献検索部２２０は、利用者の検索要求に応答して文献ＤＢ２１０を検索し、関連する文献の情報を文献ＤＢ２１０から取得する処理部である。図３は、文献検索部２２０が文献ＤＢ２１０から取得する情報の一例を示す図である。
【００４１】
同図に示すように、この文献検索部２２０は、文献ＤＢ２１０から個々の文献を識別する文献ＩＤ、文献タイトル、著者名、雑誌名などの文献掲載雑誌情報、出版年月日、抄録などの情報を取得する。
【００４２】
共著者別文献情報集合生成部２３０は、文献検索部２２０が文献ＤＢ２１０から取得した関連文献情報の集合から共著者別文献情報の集合を生成し、生成した共著者別文献情報の集合の情報を分析結果ＤＢ２５０に格納する処理部である。この共著者別文献情報集合生成部２３０は、一人以上の著者が共通するかを基準として共著者別文献情報集合を生成する。
【００４３】
図４−１は、共著者別文献情報集合生成部２３０が生成する共著者別文献情報集合を示す図である。同図において、実線の円は、文献検索部２２０が文献ＤＢ２１０から取得した関連文献情報の集合を示し、破線の楕円は、特定の共著者の共著者別文献情報集合を示す。
【００４４】
例えば、著者名が「著者名１」である著者の共著者別文献情報集合には、文献ＩＤが「文献ＩＤ１」である文献および文献ＩＤが「文献ＩＤ３」である文献についての情報が含まれる。すなわち、「著者名１」は、文献ＩＤが「文献ＩＤ１」である文献および文献ＩＤが「文献ＩＤ３」である文献の著者の著者名である。
【００４５】
同様に、著者名が「著者名２」である著者の共著者別文献情報集合には、文献ＩＤが「文献ＩＤ２」である文献および文献ＩＤが「文献ＩＤ３」である文献についての情報が含まれる。すなわち、「著者名２」は、文献ＩＤが「文献ＩＤ２」である文献および文献ＩＤが「文献ＩＤ３」である文献の著者の著者名である。
【００４６】
また、文献ＩＤが「文献ＩＤ３」である文献は「著者名１」が著者名である著者および「著者名２」が著者名である著者の共著であるため、文献ＩＤが「文献ＩＤ３」である文献の情報は、著者名が「著者名１＆著者名２」である共著者別文献情報集合にも含まれる。
【００４７】
図４−２は、共著者別文献情報集合生成部２３０が生成する共著者別文献情報集合に基づいて共著者名と文献ＩＤを対応させた例を示す図である。同図は、文献ＩＤが「文献ＩＤ１」である文献および文献ＩＤが「文献ＩＤ３」である文献の著者は、著者名が「著者名１」であることを示す。また、文献ＩＤが「文献ＩＤ３」である文献は、著者名が「著者名１」である著者および著者名が「著者名２」である著者が共著者に含まれることを示す。
【００４８】
また、共著者別文献情報集合生成部２３０は、利用者が文献を分析する場合に、利用者による分析対象の選択を支援する情報を共著者別文献情報集合に基づいて提供する。図５−１〜図５−３は、共著者別文献情報集合生成部２３０が表示する分析対象選択支援画面例（１）〜（３）を示す図である。
【００４９】
図５−１は、文献検索部２２０が文献ＤＢ２１０から取得した関連文献情報の集合に含まれる文献の中で登場する著者を登場回数が多い順に、登場回数と総文献数とともに表示した例を示す。ここで、総文献数は、文献ＤＢ２１０に含まれる文献のうち各著者が登場する文献の数である。
【００５０】
同図は、「ＣＯＰ９」をキーワードとして文献ＤＢ２１０を検索して取得した「ＣＯＰ９］関連文献情報の集合には、「Deng XW」を著者として含む文献の数が最も多く、その文献数は「３６」であり、総文献数は「９９」であることを示す。利用者は、この画面から、最も有力そうな「Deng XW」を著者とする文献から優先的に分析を進めることができる。
【００５１】
図５−２は、分析の中心とする中心著者との共著者を共著数が多い順に、文献ＤＢ２１０に含まれる共著数および総文献数とともに表示した例を示す。同図は、中心著者「Deng XW」との共著数が最も多い著者は「Wei N」であり、共著数は「３０」であり、総文献数は「８８」であることを示す。利用者は、この画面から、「Deng XW」の最も有力そうな共著者である「Wei N」を著者とする文献から優先的に分析を進めることができる。
【００５２】
図５−３は、共著数の多い著者をノードとし共著関係をアークとして著者間の共著関係をネットワークの形で表示した例を示す。利用者は、表示されたネットワークの形態から、密な関係にある研究者からなる研究グループを発見することができる。同図では、例えば、「Deng XW」、「Matsui M」、「Wei N」などはひとつの研究グループを形成しており、また、「Nauman M」、「Bech-Otschir D」、「Huang X」などは別の研究グループを形成していることが推測できる。
【００５３】
分析結果記録部２４０は、各共著者別文献情報集合の分析を行なった利用者が入力する分析結果を分析結果ＤＢ２５０に記録する処理部である。図６−１は、利用者による共著者別文献情報集合の分析過程を説明するための説明図である。
【００５４】
同図は、図５−１に示した画面において利用者が中心著者として「Deng XW」を選択した場合に表示される文献一覧の画面を示す。この画面では、「Deng XW」が著者として含まれる文献の一覧が時系列に基づく順に表示されるため、自ずからあるトピックに関する一連の文献が並ぶことになる。
【００５５】
したがって、利用者は、この一覧から、「Deng XW」を著者として含む文献のトピック、あるいはトピックを端的に表わすキーワードを容易に発見することができる（１）。そして、利用者は、発見したトピックを端的に表わすキーワードを所定の入力欄から入力する（２）。
【００５６】
このようにして、利用者は、各共著者別文献情報集合を分析した結果をトピックとして分析結果ＤＢ２５０に記録することができる。図６−２は、分析結果記録例を示す図である。同図は、共著者名が「Deng XW」である共著者の文献情報集合の分析結果として「ＣＯＰ９」が記録され、共著者名が「Deng XW & von Arnim AG」、すなわち「Deng XW」と「von Arnim AG」が共著者として含まれる文献情報集合の分析結果として「ＣＯＰ１」が記録されたことを示す。
【００５７】
なお、ここでは、利用者が文献一覧の情報に基づいて共著者別文献情報集合を分析した結果を入力することとしたが、分析結果記録部２４０が、文献一覧の文献の情報を分析し、出現頻度の高い単語などを出現頻度順にトピック候補として利用者に提示し、利用者が提示されたトピック候補から分析結果とするトピックを選択することもできる。
【００５８】
分析結果ＤＢ２５０は、共著者別文献情報集合についての情報を記憶するデータベースである。図７は、分析結果ＤＢ２５０の一例を示す図である。同図に示すように、この分析結果ＤＢ２５０は、共著者名と、文献情報と、トピックとを共著者別文献情報集合ごとに記憶する。
【００５９】
例えば、共著者名が「Deng XW」である共著者別文献情報集合は、３６個の文献情報1-1〜文献情報1-36を含み、トピックは「ＣＯＰ９」であり、共著者名が「Deng XW & von Arnim AG」である共著者別文献情報集合は、９個の文献情報3-1〜文献情報3-9を含み、トピックは「ＣＯＰ１」である。
【００６０】
分析結果統合部２６０は、利用者が指定する著者またはトピックについて、分析結果ＤＢ２５０に記録された分析結果を統合して表示する処理部である。図８−１〜図８−４は、分析結果統合部２６０が表示する分析結果統合画面例（１）〜（４）を示す図である。
【００６１】
図８−１は、利用者が著者名「Deng XW」を指定した場合に、図７に示した分析結果ＤＢ２５０を用いて分析結果統合部２６０が表示する分析結果統合画面を示す。同図に示すように、この分析結果統合画面には、「Deng XW」と共著がある著者の著者名が、「Deng XW」に関連するトピックについての共著数および総文献数とともに表示される。
【００６２】
ここで、トピック「ＣＯＰ９」については、図７に示したように分析結果ＤＢ２５０の共著者名「Deng XW」に対応する箇所に記録されているが、トピック「ＣＯＰ１」については、直接分析結果ＤＢ２５０の共著者名「Deng XW」に対応する箇所に記録されていない。ただし、このトピック「ＣＯＰ１」については、共著者名「Deng XW & von Arnim AG」に対応する箇所に記録されている。
【００６３】
すなわち、分析結果統合部２６０は、共著者名が「Deng XW」であるトピックだけでなく、「Deng XW」を共著者名の一部に含む共著グループのトピックについても情報を統合して表示する。
【００６４】
図８−２は、中心著者「Deng XW」に関する分析結果を時系列情報を基に表示した画面である。具体的には、この分析結果統合画面には、「Deng XW」および「Deng XW」との共著数の多い順に共著者が、共著数と総文献数を出版年代ごとに集計した結果とともに表示される。利用者は、この分析結果統合画面を共著者のトピックと組み合わせることによって、例えば、「Deng XW」の研究トピックの時間的推移を把握することができる。
【００６５】
なお、図８−２は、利用者が著者を指定した場合を示しているが、利用者はトピックを指定することによって、あるトピックについての年代ごとの文献数を表示することができ、トピックの時間的推移を把握することができる。
【００６６】
図８−３は、中心著者「Deng XW」との共著者を年代ごとに共著数が多い順に共著数とともに表示した分析結果統合画面である。利用者は、この分析結果統合画面によって、中心著者と多く共著した著者を年代ごとに把握することができる。
【００６７】
図８−４は、中心著者「Deng XW」に関係するトピックに該当する文献数を年代ごとに表示した分析結果統合画面である。利用者は、この分析結果統合画面によって、中心著者の文献のトピックを年代ごとに把握することができる。
【００６８】
このように、分析結果統合部２６０が分析結果ＤＢ２５０に共著者（共著グループ）ごとに記録された分析結果を著者またはトピックごとに統合し、分析結果統合画面として表示することによって、利用者は、各共著者（共著グループ）ごとに分析した結果をマクロ的な視点から捉えなおすことができる。
【００６９】
入出力部２７０は、利用者からの入力を受け付けて制御部２８０に渡すとともに、共著者別文献情報集合生成部２３０や分析結果統合部２６０が表示する画面を表示装置に出力する処理部である。
【００７０】
図９は、入出力部２７０が出力する表示画面の一例を示す図である。同図に示すように、図５−１に示した分析対象選択支援画面や図８−１に示した分析結果統合画面は、表示装置にマルチウィンドウ表示される。
【００７１】
制御部２８０は、文献分析装置２００全体の制御を行なう処理部であり、具体的には、機能部間の制御の移動や機能部と記憶部の間のデータの受け渡しなどを行なうことによって、文献分析装置２００を一つの装置として機能させる。
【００７２】
次に、本実施例に係る文献分析装置２００の処理手順について説明する。図１０は、本実施例に係る文献分析装置２００の処理手順を示すフローチャートである。同図に示すように、この文献分析装置２００は、入出力部２７０が利用者からの動作指示を受け付け（ステップＳ１０１）、受け付けた動作指示が共著者別文献情報集合生成指示であるか否かを制御部２８０が判定する（ステップＳ１０２）。
【００７３】
その結果、受け付けた動作指示が共著者別文献情報集合生成指示である場合には、文献検索部２２０が利用者の指示に基づいて文献ＤＢ２１０から分析する文献情報集合を取得し（ステップＳ１０３）、共著者別文献情報集合生成部２３０が共著者別文献情報集合を生成する（ステップＳ１０４）。また、共著者別文献情報集合生成部２３０は、利用者の要求に応答して分析対象選択支援画面を表示する。そして、ステップＳ１０１に戻って利用者の次の指示を受け付ける。
【００７４】
一方、受け付けた動作指示が共著者別文献情報集合生成指示でない場合には、受け付けた動作指示が分析結果記録指示であるか否かを判定し（ステップＳ１０５）、分析結果記録指示である場合には、分析結果記録部２４０が利用者が共著者別文献情報集合を分析した結果を分析結果ＤＢ２５０に記録する（ステップＳ１０６）。そして、ステップＳ１０１に戻って利用者の次の指示を受け付ける。
【００７５】
また、受け付けた動作指示が分析結果記録指示でない場合には、受け付けた動作指示が分析結果統合指示であるか否かを判定し（ステップＳ１０７）、分析結果統合指示である場合には、分析結果統合部２６０が利用者の指示に基づいて分析結果ＤＢ２５０の情報を統合し、統合した結果を表示する（ステップＳ１０６）。そして、ステップＳ１０１に戻って利用者の次の指示を受け付ける。また、受け付けた動作指示が分析結果統合指示でない場合には、処理を終了する。
【００７６】
このように、共著者別文献情報集合生成部２３０が共著者別文献情報集合を生成し、分析結果記録部２４０が利用者が共著者別文献情報集合を分析した結果を分析結果ＤＢ２５０に記録し、分析結果統合部２６０が利用者の指示に基づいて分析結果ＤＢ２５０の情報を統合して表示することによって、利用者による文献の分析を支援することができる。
【００７７】
次に、図２に示した共著者別文献情報集合生成部２３０の処理手順について説明する。図１１は、図２に示した共著者別文献情報集合生成部２３０の処理手順を示すフローチャートである。
【００７８】
同図に示すように、この共著者別文献情報集合生成部２３０は、文献情報集合から各文献の共著者を抽出し（ステップＳ１１１）、抽出した共著者に基づいて共著者別文献情報集合を生成する（ステップＳ１１２）。そして、この共著者別文献情報集合生成部２３０は、生成した共著者別文献情報集合を用いて、利用者が指定する文献対象選択支援画面を表示する（ステップＳ１１３）。
【００７９】
このように、この共著者別文献情報集合生成部２３０が共著者別文献情報集合を生成し、生成した共著者別文献情報集合を用いて、利用者が指定する文献対象選択支援画面を表示することによって、利用者は、優先的に分析する文献を容易に見付けだすことができる。
【００８０】
次に、図２に示した分析結果統合部２６０の処理手順について説明する。図１２は、図２に示した分析結果統合部２６０の処理手順を示すフローチャートである。同図に示すように、この分析結果統合部２６０は、利用者により入力された著者またはトピックに関する分析結果を分析結果ＤＢ２５０から取得する（ステップＳ１２１）。
【００８１】
そして、取得した分析結果を著者またはトピックについて統合し（ステップＳ１２２）、統合した結果を、利用者の指定に基づいて分析結果統合画面として表示する（ステップＳ１２３）。
【００８２】
このように、この分析結果統合部２６０が分析結果ＤＢ２５０に共著者（共著グループ）ごとに記録された分析結果を著者またはトピックごとに統合し、分析結果統合画面として表示することによって、利用者は、各共著者（共著グループ）ごとに分析した結果をマクロ的な視点から捉えなおすことができ、トピック間の関連性などを発見することができる。
【００８３】
上述してきたように、本実施例では、共著者別文献情報集合生成部２３０が関連する文献情報集合から共著者別文献情報集合を生成し、分析結果記録部２４０が利用者が共著者別文献情報集合を分析した結果を共著者（共著グループ）のトピックとして分析結果ＤＢ２５０に記録し、分析結果統合部２６０が分析結果ＤＢ２５０に記録された各共著者（共著グループ）のトピックを統合して分析結果統合画面として表示することとしたので、利用者による文献の内容理解を助け、利用者が文献集合から知識を得ることを容易にすることができる。
【００８４】
また、本実施例では、共著者別文献情報集合生成部２３０が生成した共著者別文献情報集合を用いて分析対象選択支援画面を表示することとしたので、利用者は優先的に分析する文献を容易に把握することができる。
【００８５】
また、本実施例では、文献分析装置２００が単一の装置として機能する場合について説明したが、本発明はこれに限定されるものではなく、例えば、文献分析装置２００の入出力部２７０の機能を備えた端末装置と入出力部２７０の代わりに通信機能を備えた文献分析装置とがネットワークを介して接続されて構成される文献分析システムとして機能する場合にも同様に適用することができる。
【００８６】
また、本実施例では、文献分析装置について説明したが、この文献分析装置が有する構成をソフトウェアによって実現することで、同様の機能を有する文献分析プログラムを得ることができる。そこで、この文献分析プログラムを実行するコンピュータシステムについて説明する。
【００８７】
図１３は、本実施例に係る文献分析プログラムを実行するコンピュータシステムを示す図である。同図に示すように、このコンピュータシステム１００は、本体部１０１と、本体部１０１からの指示により表示画面１０２ａに情報を表示するディスプレイ１０２と、このコンピュータシステム１００に種々の情報を入力するためのキーボード１０３と、ディスプレイ１０２の表示画面１０２ａ上の任意の位置を指定するマウス１０４と、ＬＡＮ１０６または広域エリアネットワーク（ＷＡＮ）に接続するＬＡＮインタフェースと、公衆回線１０７に接続するモデムとを有する。ここで、ＬＡＮ１０６は、他のコンピュータシステム（ＰＣ）１１１、サーバ１１２、プリンタ１１３などとコンピュータシステム１００とを接続している。
【００８８】
また、図１４は、図１３に示した本体部１０１の構成を示す機能ブロック図である。同図に示すように、この本体部１０１は、ＣＰＵ１２１と、ＲＡＭ１２２と、ＲＯＭ１２３と、ハードディスクドライブ（ＨＤＤ）１２４と、ＣＤ−ＲＯＭドライブ１２５と、ＦＤドライブ１２６と、Ｉ／Ｏインタフェース１２７と、ＬＡＮインタフェース１２８と、モデム１２９とを有する。
【００８９】
そして、このコンピュータシステム１００において実行される文献分析プログラムは、フロッピィディスク（ＦＤ）１０８、ＣＤ−ＲＯＭ１０９、ＤＶＤディスク、光磁気ディスク、ＩＣカードなどの可搬型記憶媒体に記憶され、これらの記憶媒体から読み出されてコンピュータシステム１００にインストールされる。
【００９０】
あるいは、この文献分析プログラムは、ＬＡＮインタフェース１２８を介して接続されたサーバ１１２のデータベース、他のコンピュータシステム（ＰＣ）１１１のデータベースなどに記憶され、これらのデータベースから読み出されてコンピュータシステム１００にインストールされる。
【００９１】
そして、インストールされた文献分析プログラムは、ＨＤＤ１２４に記憶され、ＲＡＭ１２２、ＲＯＭ１２３などを利用してＣＰＵ１２１により実行される。
【００９２】
（付記１）関連する文献についての情報の集合である関連文献情報集合の情報を分析する文献分析プログラムであって、
前記関連文献情報集合から共著者別の文献情報の集合である共著者別文献情報集合を生成する共著者別文献情報集合生成手順と、
前記共著者別文献情報集合生成手順により生成された共著者別文献情報集合の情報を表示する共著者別文献情報表示手順と
をコンピュータに実行させることを特徴とする文献分析プログラム。
【００９３】
（付記２）前記共著者別文献情報集合生成手順により生成された共著者別文献情報集合の情報を分析して利用者が指定する共著者別分析結果を記憶装置に記録する分析結果記録手順と、
前記分析結果記録手順により記憶装置に記録された共著者別分析結果を統合して分析結果統合情報を生成する分析結果統合手順と、
前記分析結果統合手順により生成された分析結果統合情報を表示する統合情報表示手順と
をさらにコンピュータに実行させることを特徴とする付記１に記載の文献分析プログラム。
【００９４】
（付記３）前記分析結果記録手順は、前記共著者別文献情報集合生成手順により生成された共著者別文献情報集合の情報を分析して共著者別分析内容を生成する共著者別文献情報分析手順と、
利用者が前記共著者別文献情報集合を分析するとともに前記共著者別文献情報分析手順により生成された共著者別分析内容を参考にして共著者別分析結果を記憶装置に格納する分析結果格納手順と、
をコンピュータに実行させることを特徴とする付記２に記載の文献分析プログラム。
【００９５】
（付記４）前記共著者別文献情報表示手順は、共著文献の数が多い著者の順に著者名と該著者の文献数とを表示することを特徴とする付記１、２または３に記載の文献分析プログラム。
【００９６】
（付記５）前記共著者別文献情報表示手順は、利用者が指定する著者の共著者の著作文献の数を該著者との共著文献の数が多い順に表示することを特徴とする付記１、２または３に記載の文献分析プログラム。
【００９７】
（付記６）前記共著者別文献情報表示手順は、著者間の共著関係を、著者をノードとし共著関係をアークとして図示することを特徴とする付記１、２または３に記載の文献分析プログラム。
【００９８】
（付記７）前記分析結果記録手順により記憶装置に記録される共著者別分析結果は、前記共著者別文献情報集合に情報が含まれる文献のトピックであり、
前記分析結果統合手順は、利用者の指定する著者が含まれる共著グループに対して記録されたトピックごとに該著者の文献数および該著者の共著者の文献数を分析結果統合情報として生成することを特徴とする付記２または３に記載の文献分析プログラム。
【００９９】
（付記８）前記分析結果記録手順により記憶装置に記録される共著者別分析結果は、前記共著者別文献情報集合に情報が含まれる文献のトピックであり、
前記分析結果統合手順は、利用者の指定するトピックが著者を含む共著グループに対して記録された著者の年代別著作文献数および該著者の共著者の年代別著作文献数を分析結果統合情報として生成することを特徴とする付記２または３に記載の文献分析プログラム。
【０１００】
（付記９）前記分析結果統合手順は、利用者の指定する著者の年代別著作文献数と、該著者の共著者の年代別著作文献数とを分析結果統合情報として生成することを特徴とする付記２または３に記載の文献分析プログラム。
【０１０１】
（付記１０）関連する文献についての情報の集合である関連文献情報集合の情報を、端末装置からの利用者の文献分析要求に応答して分析する文献分析プログラムであって、
前記関連文献情報集合から共著者別の文献情報の集合である共著者別文献情報集合を生成する共著者別文献情報集合生成手順と、
共著者別文献情報を前記端末装置に表示する際に使用される共著者別文献情報表示データを前記共著者別文献情報集合生成手順により生成された共著者別文献情報集合の情報から生成する共著者別文献情報表示データ生成手順と、
前記共著者別文献情報表示データ生成手順により生成された共著者別文献情報表示データを前記端末装置に送信する共著者別文献情報送信手順と
をコンピュータに実行させることを特徴とする文献分析プログラム。
【０１０２】
（付記１１）前記共著者別文献情報集合生成手順により生成された共著者別文献情報集合の情報を分析して利用者が指定する共著者別分析結果を記憶装置に記録する分析結果記録手順と、
前記分析結果記録手順により記憶装置に記録された共著者別分析結果を統合して分析結果統合情報を生成する分析結果統合手順と、
分析結果統合情報を前記端末装置に表示する際に使用される分析結果統合情報表示データを前記分析結果統合手順により生成された分析結果統合情報から生成する統合情報表示データ生成手順と、
前記統合情報表示データ生成手順により生成された分析結果統合情報表示データを前記端末装置に送信する分析結果統合情報送信手順と
をさらにコンピュータに実行させることを特徴とする付記１０に記載の文献分析プログラム。
【０１０３】
（付記１２）関連する文献についての情報の集合である関連文献情報集合の情報を分析する文献分析プログラムを記録したコンピュータ読み取り可能な記録媒体であって、
前記関連文献情報集合から共著者別の文献情報の集合である共著者別文献情報集合を生成する共著者別文献情報集合生成手順と、
前記共著者別文献情報集合生成手順により生成された共著者別文献情報集合の情報を表示する共著者別文献情報表示手順と
をコンピュータに実行させる文献分析プログラムを記録したことを特徴とするコンピュータ読み取り可能な記録媒体。
【０１０４】
（付記１３）前記共著者別文献情報集合生成手順により生成された共著者別文献情報集合の情報を分析して利用者が指定する共著者別分析結果を記憶装置に記録する分析結果記録手順と、
前記分析結果記録手順により記憶装置に記録された共著者別分析結果を統合して分析結果統合情報を生成する分析結果統合手順と、
前記分析結果統合手順により生成された分析結果統合情報を表示する統合情報表示手順と
をさらにコンピュータに実行させる文献分析プログラムを記録したことを特徴とする付記１２に記載のコンピュータ読み取り可能な記録媒体。
【０１０５】
（付記１４）関連する文献についての情報の集合である関連文献情報集合の情報を、端末装置からの利用者の文献分析要求に応答して分析する文献分析プログラムを記録したコンピュータ読み取り可能な記録媒体であって、
前記関連文献情報集合から共著者別の文献情報の集合である共著者別文献情報集合を生成する共著者別文献情報集合生成手順と、
共著者別文献情報を前記端末装置に表示する際に使用される共著者別文献情報表示データを前記共著者別文献情報集合生成手順により生成された共著者別文献情報集合の情報から生成する共著者別文献情報表示データ生成手順と、
前記共著者別文献情報表示データ生成手順により生成された共著者別文献情報表示データを前記端末装置に送信する共著者別文献情報送信手順と
をコンピュータに実行させる文献分析プログラムを記録したことを特徴とするコンピュータ読み取り可能な記録媒体。
【０１０６】
（付記１５）関連する文献についての情報の集合である関連文献情報集合の情報を分析する文献分析方法であって、
前記関連文献情報集合から共著者別の文献情報の集合である共著者別文献情報集合を生成する共著者別文献情報集合生成工程と、
前記共著者別文献情報集合生成工程により生成された共著者別文献情報集合の情報を表示する共著者別文献情報表示工程と
を含んだことを特徴とする文献分析方法。
【０１０７】
（付記１６）前記共著者別文献情報集合生成工程により生成された共著者別文献情報集合の情報を分析して利用者が指定する共著者別分析結果を記憶装置に記録する分析結果記録工程と、
前記分析結果記録工程により記憶装置に記録された共著者別分析結果を統合して分析結果統合情報を生成する分析結果統合工程と、
前記分析結果統合工程により生成された分析結果統合情報を表示する統合情報表示工程と
をさらに含んだことを特徴とする付記１５に記載の文献分析方法。
【０１０８】
（付記１７）関連する文献についての情報の集合である関連文献情報集合の情報を、端末装置からの利用者の文献分析要求に応答して分析する文献分析方法であって、
前記関連文献情報集合から共著者別の文献情報の集合である共著者別文献情報集合を生成する共著者別文献情報集合生成工程と、
共著者別文献情報を前記端末装置に表示する際に使用される共著者別文献情報表示データを前記共著者別文献情報集合生成工程により生成された共著者別文献情報集合の情報から生成する共著者別文献情報表示データ生成工程と、
前記共著者別文献情報表示データ生成工程により生成された共著者別文献情報表示データを前記端末装置に送信する共著者別文献情報送信工程と
を含んだことを特徴とする文献分析方法。
【０１０９】
（付記１８）関連する文献についての情報の集合である関連文献情報集合の情報を分析する文献分析装置であって、
前記関連文献情報集合から共著者別の文献情報の集合である共著者別文献情報集合を生成する共著者別文献情報集合生成手段と、
前記共著者別文献情報集合生成手段により生成された共著者別文献情報集合の情報を表示する共著者別文献情報表示手段と
を備えたことを特徴とする文献分析装置。
【０１１０】
（付記１９）前記共著者別文献情報集合生成手段により生成された共著者別文献情報集合の情報を分析して利用者が指定する共著者別分析結果を記憶装置に記録する分析結果記録手段と、
前記分析結果記録手段により記憶装置に記録された共著者別分析結果を統合して分析結果統合情報を生成する分析結果統合手段と、
前記分析結果統合手段により生成された分析結果統合情報を表示する統合情報表示手段と
をさらに備えたことを特徴とする付記１８に記載の文献分析装置。
【０１１１】
（付記２０）関連する文献についての情報の集合である関連文献情報集合の情報を、端末装置からの利用者の文献分析要求に応答して分析する文献分析装置であって、
前記関連文献情報集合から共著者別の文献情報の集合である共著者別文献情報集合を生成する共著者別文献情報集合生成手段と、
共著者別文献情報を前記端末装置に表示する際に使用される共著者別文献情報表示データを前記共著者別文献情報集合生成手段により生成された共著者別文献情報集合の情報から生成する共著者別文献情報表示データ生成手段と、
前記共著者別文献情報表示データ生成手段により生成された共著者別文献情報表示データを前記端末装置に送信する共著者別文献情報送信手段と
を備えたことを特徴とする文献分析装置。
【産業上の利用可能性】
【０１１２】
以上のように、本発明に係る文献分析プログラムおよびその記録媒体、文献分析装置ならびに文献分析方法は、文献分析の支援に有用であり、特に、共著関係に基づいて関連文献を選択して分析する場合に適している。
【図面の簡単な説明】
【０１１３】
【図１】本実施例に係る文献分析装置による文献分析の原理を説明するための説明図である。
【図２】本実施例に係る文献分析装置の構成を示す機能ブロック図である。
【図３】文献検索部が文献ＤＢから取得する情報の一例を示す図である。
【図４−１】共著者別文献情報集合生成部が生成する共著者別文献情報集合を示す図である。
【図４−２】共著者別文献情報集合生成部が生成する共著者別文献情報集合に基づいて著者名と文献ＩＤを対応させた例を示す図である。
【図５−１】共著者別文献情報集合生成部が表示する分析対象選択支援画面例（１）を示す図である。
【図５−２】共著者別文献情報集合生成部が表示する分析対象選択支援画面例（２）を示す図である。
【図５−３】共著者別文献情報集合生成部が表示する分析対象選択支援画面例（３）を示す図である。
【図６−１】利用者による共著者別文献情報集合の分析過程を説明するための説明図である。
【図６−２】分析結果記録例を示す図である。
【図７】分析結果ＤＢの一例を示す図である。
【図８−１】分析結果統合部が表示する分析結果統合画面例（１）を示す図である。
【図８−２】分析結果統合部が表示する分析結果統合画面例（２）を示す図である。
【図８−３】分析結果統合部が表示する分析結果統合画面例（３）を示す図である。
【図８−４】分析結果統合部が表示する分析結果統合画面例（４）を示す図である。
【図９】入出力部が出力する表示画面の一例を示す図である。
【図１０】本実施例に係る文献分析装置の処理手順を示すフローチャートである。
【図１１】図２に示した共著者別文献情報集合生成部の処理手順を示すフローチャートである。
【図１２】図２に示した分析結果統合部の処理手順を示すフローチャートである。
【図１３】本実施例に係る文献分析プログラムを実行するコンピュータシステムを示す図である。
【図１４】図１３に示した本体部の構成を示す機能ブロック図である。
【符号の説明】
【０１１４】
１００，１１１    コンピュータシステム
１０１    本体部
１０２    ディスプレイ
１０２ａ    表示画面
１０３    キーボード
１０４    マウス
１０６    ＬＡＮ
１０７    公衆回線
１０８    フロッピィディスク
１０９    ＣＤ−ＲＯＭ
１１２    サーバ
１１３    プリンタ
１２１    ＣＰＵ
１２２    ＲＡＭ
１２３    ＲＯＭ
１２４    ハードディスクドライブ
１２５    ＣＤ−ＲＯＭドライブ
１２６    フロッピィディスクドライブ
１２７    Ｉ／Ｏインタフェース
１２８    ＬＡＮインタフェース
１２９    モデム
２００    文献分析装置
２１０    文献ＤＢ
２２０    文献検索部
２３０    共著者別文献情報集合生成部
２４０    分析結果記録部
２５０    分析結果ＤＢ
２６０    分析結果統合部
２７０    入出力部
２８０    制御部
【図１】
2005190124.tif 000003
【図２】
2005190124.tif 000004
【図３】
2005190124.tif 000005
【図４−１】
2005190124.tif 000006
【図４−２】
2005190124.tif 000007
【図５−１】
2005190124.tif 000008
【図５−２】
2005190124.tif 000009
【図５−３】
2005190124.tif 000010
【図６−１】
2005190124.tif 000011
【図６−２】
2005190124.tif 000012
【図７】
2005190124.tif 000013
【図８−１】
2005190124.tif 000014
【図８−２】
2005190124.tif 000015
【図８−３】
2005190124.tif 000016
【図８−４】
2005190124.tif 000017
【図９】
2005190124.tif 000018
【図１０】
2005190124.tif 000019
【図１１】
2005190124.tif 000020
【図１２】
2005190124.tif 000021
【図１３】
2005190124.tif 000022
【図１４】
2005190124.tif 000023